(57)【特許請求の範囲】
【請求項１】
印刷物の印刷面を撮影し、撮影した撮影画像の撮像データを取得する撮像データ取得装置と、
前記撮像データ取得装置が取得した前記撮像データに基づいて、前記撮像データ取得装置により撮影された前記印刷物の印刷面の印刷方法を判定する判定装置と、を備え、
前記判定装置は、
前記撮像データ取得装置が取得した前記撮像データから、前記撮影画像に含まれる判定領域を選択し、
選択した前記判定領域から予め設定された対象色の判定像を抽出し、
抽出した前記判定像を構成する複数の画素領域における前記対象色の階調データを、各判定領域に適した２値化閾値を基準に、２値化することで、前記判定像の２値化された基準用２値化データを取得し、
前記抽出した前記判定像を構成する前記複数の画素領域における前記対象色の階調データを、前記判定像の暗部に関して変換した変換階調データを取得し、
取得した前記変換階調データを、前記２値化閾値を基準に、２値化することで、比較用２値化データを取得し、
前記基準用２値化データと前記比較用２値化データとを比較した比較結果に基づいて、前記印刷物の前記印刷面の印刷方法を判定するための判定値を取得し、
取得した前記判定値に基づいて、前記印刷物の前記印刷面の印刷方法を判定する、判定システム。
【請求項２】
前記判定装置は、
前記基準用２値化データと前記比較用２値化データとの差分である差分データを前記比較結果として取得し、
取得した前記比較結果である前記差分データに基づいて、前記判定値を取得する、請求項１に記載の判定システム。
【請求項３】
前記判定装置は、
前記抽出した前記判定像を構成する前記複数の画素領域における前記対象色の階調データを、前記判定像の暗部が拡大するように変換処理して拡大変換階調データを取得し、
前記抽出した前記判定像を構成する前記複数の画素領域における前記拡大変換階調データを、前記判定像の暗部が縮小するように変換処理して縮小変換階調データを取得し、
前記縮小変換階調データを、前記２値化閾値を基準に、２値化することで、前記比較用２値化データを取得する、請求項２に記載の判定システム。
【請求項４】
前記判定装置は、
前記判定像の暗部が拡大するように、前記判定像を構成する前記複数の画素領域に対して、前記対象色の階調データを画素領域の周辺の画素領域の最小値へ置き換えるように変換処理して前記拡大変換階調データを取得し、
前記判定像の暗部が縮小するように、前記判定像を構成する前記複数の画素領域に対して、前記拡大変換階調データを画素領域の周辺の画素領域の最大値へ置き換えるように変換処理して前記縮小変換階調データを取得する、請求項３に記載の判定システム。
【請求項５】
前記判定装置は、
前記抽出した前記判定像を構成する前記複数の画素領域における前記対象色の階調データを、前記判定像の暗部が縮小するように変換処理して縮小変換階調データを取得し、
前記抽出した前記判定像を構成する前記複数の画素領域における前記縮小変換階調データを、前記判定像の暗部が拡大するように変換処理して拡大変換階調データを取得し、
前記拡大変換階調データを、前記２値化閾値を基準に、２値化することで、前記比較用２値化データを取得する、請求項２に記載の判定システム。
【請求項６】
前記判定装置は、
前記判定像の暗部が縮小するように、前記判定像を構成する前記複数の画素領域に対して、前記対象色の階調データを画素領域の周辺の画素領域の最大値へ置き換えるように変換処理して前記縮小変換階調データを取得し、
前記判定像の暗部が拡大するように、前記判定像を構成する前記複数の画素領域に対して、前記縮小変換階調データを画素領域の周辺の画素領域の最小値へ置き換えるように変換処理して前記拡大変換階調データを取得する、請求項５に記載の判定システム。
【請求項７】
前記各判定領域に適した２値化閾値は、前記各判定領域の諧調データのヒストグラムに基づいて決定される、請求項１ないし６のいずれか一項に記載の判定システム。
【請求項８】
前記判定装置は、
前記差分データの面積当たりの差異ドット数を前記判定値とする、請求項２に記載の判定システム。
【請求項９】
前記判定装置は、
取得した前記判定値に基づいて、前記印刷物が、版による印刷方法で印刷された印刷物であるか、若しくは、面積階調方式のプリンタによる印刷方法で印刷された印刷物であるかを判定する、請求項１ないし８のいずれか一項に記載の判定システム。
【請求項１０】
前記判定装置は、
前記判定値が、予め設定された判定用閾値以上である場合には、前記プリンタにより印刷されたものであると判定し、
一方、前記判定値が、前記判定用閾値未満である場合には、前記版により印刷されたものであると判定する、請求項９に記載の判定システム。
【請求項１１】
前記プリンタによる印刷方法は、面積階調方式による印刷である、請求項９又は１０に記載の判定システム。
【請求項１２】
前記面積階調方式の前記プリンタは、判定像を、CYM（シアン、イエロー、マゼンタ）の3色を混合して印刷する、請求項１１に記載の判定システム。
【請求項１３】
前記撮像データ取得装置は、前記印刷物の印刷面の撮像画像の前記撮像データを取得するイメージセンサを備えた、携帯電話又はデジタルカメラである、請求項１ないし１２のいずれか一項に記載の判定システム。
【請求項１４】
前記印刷物の本物は、前記版により印刷され、
一方、前記印刷物の偽物は、前記プリンタにより印刷されており、
前記判定装置は、
取得した前記判定値に基づいて、前記印刷物が、前記版による印刷方法で印刷された本物の印刷物であるか、若しくは、前記プリンタによる印刷方法で印刷された偽物の印刷物であるかを判定する、請求項９に記載の判定システム。
【請求項１５】
前記判定装置は、
インターネットを介して、前記撮像データ取得装置が取得した前記撮像データを、受信する、請求項１ないし１４のいずれか一項に記載の判定システム。
【請求項１６】
前記判定装置は、
前記印刷物の前記印刷面の印刷方法の判定結果を、インターネットを介して、外部装置に送信する、請求項１ないし１５のいずれか一項に記載の判定システム。
【請求項１７】
前記判定装置は、
前記印刷物の前記印刷面の印刷方法の判定結果を、インターネットを介して、前記撮像データ取得装置に送信する、請求項１ないし１６のいずれか一項に記載の判定システム。
【請求項１８】
印刷物の印刷面を撮影し、撮影した撮影画像の撮像データを取得する撮像データ取得装置と、
前記撮像データ取得装置が取得した前記撮像データに基づいて、前記撮像データ取得装置により撮影された前記印刷物の印刷面の印刷方法を判定する判定装置と、を備えた判定システムの制御方法であって、
前記判定装置は、
前記撮像データ取得装置が取得した前記撮像データから、前記撮影画像に含まれる判定領域を選択し、
選択した前記判定領域から予め設定された対象色の判定像を抽出し、
抽出した前記判定像を構成する複数の画素領域における前記対象色の階調データを、各判定領域に適した２値化閾値を基準に、２値化することで、前記判定像の２値化された基準用２値化データを取得し、
前記抽出した前記判定像を構成する前記複数の画素領域における前記対象色の階調データを、前記判定像の暗部に関して変換した変換階調データを取得し、
取得した前記変換階調データを、前記２値化閾値を基準に、２値化することで、比較用２値化データを取得し、
前記基準用２値化データと前記比較用２値化データとを比較した比較結果に基づいて、前記印刷物の前記印刷面の印刷方法を判定するための判定値を取得し、
取得した前記判定値に基づいて、前記印刷物の前記印刷面の印刷方法を判定する、判定システムの制御方法。
【請求項１９】
印刷物の印刷面を撮影し、撮影した撮影画像の撮像データを取得する撮像データ取得装置を備えた判定システムに適用され、前記撮像データ取得装置が取得した前記撮像データに基づいて、前記撮像データ取得装置により撮影された前記印刷物の印刷面の印刷方法を判定する判定装置であって、
前記判定装置は、
前記撮像データ取得装置が取得した前記撮像データから、前記撮影画像に含まれる判定領域を選択し、
選択した前記判定領域から予め設定された対象色の判定像を抽出し、
抽出した前記判定像を構成する複数の画素領域における前記対象色の階調データを、各判定領域に適した２値化閾値を基準に、２値化することで、前記判定像の２値化された基準用２値化データを取得し、
前記抽出した前記判定像を構成する前記複数の画素領域における前記対象色の階調データを、前記判定像の暗部に関して変換した変換階調データを取得し、
取得した前記変換階調データを、前記２値化閾値を基準に、２値化することで、比較用２値化データを取得し、
前記基準用２値化データと前記比較用２値化データとを比較した比較結果に基づいて、前記印刷物の前記印刷面の印刷方法を判定するための判定値を取得し、
取得した前記判定値に基づいて、前記印刷物の前記印刷面の印刷方法を判定する、判定装置。
【請求項２０】
印刷物の印刷面を撮影し、撮影した撮影画像の撮像データを取得する撮像データ取得装置を備えた判定システムに適用され、前記撮像データ取得装置が取得した前記撮像データに基づいて、前記撮像データ取得装置により撮影された前記印刷物の印刷面の印刷方法を判定する判定装置の制御方法であって、
前記判定装置は、
前記撮像データ取得装置が取得した前記撮像データから、前記撮影画像に含まれる判定領域を選択し、
選択した前記判定領域から予め設定された対象色の判定像を抽出し、
抽出した前記判定像を構成する複数の画素領域における前記対象色の階調データを、各判定領域に適した２値化閾値を基準に、２値化することで、前記判定像の２値化された基準用２値化データを取得し、
前記抽出した前記判定像を構成する前記複数の画素領域における前記対象色の階調データを、前記判定像の暗部に関して変換した変換階調データを取得し、
取得した前記変換階調データを、前記２値化閾値を基準に、２値化することで、比較用２値化データを取得し、
前記基準用２値化データと前記比較用２値化データとを比較した比較結果に基づいて、前記印刷物の前記印刷面の印刷方法を判定するための判定値を取得し、
取得した前記判定値に基づいて、前記印刷物の前記印刷面の印刷方法を判定する、判定装置の制御方法。
【請求項２１】
印刷物の印刷面を撮影し、撮影した撮影画像の撮像データを取得する撮像データ取得装置を備えた判定システムに適用され且つコンピュータを備える判定装置により、実行されるプログラムであって、
前記判定装置が、
前記撮像データ取得装置が取得した前記撮像データから、前記撮影画像に含まれる判定領域を選択し、
選択した前記判定領域から予め設定された対象色の判定像を抽出し、
抽出した前記判定像を構成する複数の画素領域における前記対象色の階調データを、各判定領域に適した２値化閾値を基準に、２値化することで、前記判定像の２値化された基準用２値化データを取得し、
前記抽出した前記判定像を構成する前記複数の画素領域における前記対象色の階調データを、前記判定像の暗部に関して変換した変換階調データを取得し、
取得した前記変換階調データを、前記２値化閾値を基準に、２値化することで、比較用２値化データを取得し、
前記基準用２値化データと前記比較用２値化データとを比較した比較結果に基づいて、前記印刷物の前記印刷面の印刷方法を判定するための判定値を取得し、
取得した前記判定値に基づいて、前記印刷物の前記印刷面の印刷方法を判定する処理を前記コンピュータに実行させる、プログラム。
【請求項２２】
前記印刷物は、商品券、紙幣、運転免許証、住民基本台帳カード、在留カード、特別永住者証明書、パスポート、金券、又は身分証明書である
請求項１ないし１７のいずれか一項に記載の判定システム。
【請求項２３】
前記印刷物は、商品券、紙幣、運転免許証、住民基本台帳カード、在留カード、特別永住者証明書、パスポート、金券、又は身分証明書である
請求項１８に記載の判定システムの制御方法。
【請求項２４】
前記印刷物は、商品券、紙幣、運転免許証、住民基本台帳カード、在留カード、特別永住者証明書、パスポート、金券、又は身分証明書である
請求項１９に記載の判定装置。
【請求項２５】
前記印刷物は、商品券、紙幣、運転免許証、住民基本台帳カード、在留カード、特別永住者証明書、パスポート、金券、又は身分証明書である
請求項２０に記載の判定装置の制御方法。
【請求項２６】
前記印刷物は、商品券、紙幣、運転免許証、住民基本台帳カード、在留カード、特別永住者証明書、パスポート、金券、又は身分証明書である
請求項２１に記載のプログラム。
【発明の詳細な説明】
【技術分野】
【０００１】
本開示の実施形態は、印刷物の印刷方法を判定する判定装置に関する。また、本開示の実施形態は、判定装置の制御方法、判定システム、判定システムの制御方法、及び、プログラムに関する。
【背景技術】
【０００２】
従来、印刷物である、紙幣や商品券等の金券や、運転免許証、住民基本台帳カード、在留カード、特別永住者証明書又はパスポート等の身分証明書等は、本物であるか否かは厳密に判定される必要があった。
【０００３】
ここで、例えば、特許文献１には、インクジェットなど面積諧調方式のプリンタで印刷された被写体のスキャン画像の色平坦度による違いを検出し、当該印刷物が、面積諧調方式で印刷された物か否かを判定する従来技術が開示されている。
【０００４】
しかしながら、この従来技術では、スキャナなどラインセンサによる近接撮影された画像である必要がり、デジタルカメラなど、イメージセンサによる画像では、判定ができないなどの問題があった。
【先行技術文献】
【特許文献】
【０００５】
【特許文献１】特開２０１７−２１５７３９号公報
【発明の開示】
【０００６】
本開示の実施形態は、このような課題を効果的に解決し得る判定装置、判定装置の制御方法、判定システム、判定システムの制御方法、及び、プログラムを提供することを目的とする。
【０００７】
本開示の一実施形態は、印刷物の印刷面を撮影し、撮影した撮影画像の撮像データを取得する撮像データ取得装置と、前記撮像データ取得装置が取得した前記撮像データに基づいて、前記撮像データ取得装置により撮影された前記印刷物の印刷面の印刷方法を判定する判定装置と、を備え、前記判定装置は、前記撮像データ取得装置が取得した前記撮像データから、前記撮影画像に含まれる判定領域を選択し、選択した前記判定領域から予め設定された対象色の判定像を抽出し、抽出した前記判定像を構成する複数の画素領域における前記対象色の階調データを、各判定領域に適した２値化閾値を基準に、２値化することで、前記判定像の２値化された基準用２値化データを取得し、前記抽出した前記判定像を構成する前記複数の画素領域における前記対象色の階調データを、前記判定像の暗部に関して変換した変換階調データを取得し、取得した前記変換階調データを、前記２値化閾値を基準に、２値化することで、比較用２値化データを取得し、前記基準用２値化データと前記比較用２値化データとを比較した比較結果に基づいて、前記印刷物の前記印刷面の印刷方法を判定するための判定値を取得し、取得した前記判定値に基づいて、前記印刷物の前記印刷面の印刷方法を判定する、判定システムである。
【０００８】
本開示の一実施形態による判定システムにおいて、前記判定装置は、前記基準用２値化データと前記比較用２値化データとの差分である差分データを前記比較結果として取得し、取得した前記比較結果である前記差分データに基づいて、前記判定値を取得するようにしてもよい。
【０００９】
本開示の一実施形態による判定システムにおいて、前記判定装置は、前記抽出した前記判定像を構成する前記複数の画素領域における前記対象色の階調データを、前記判定像の暗部が拡大するように変換処理して拡大変換階調データを取得し、前記抽出した前記判定像を構成する前記複数の画素領域における前記拡大変換階調データを、前記判定像の暗部が縮小するように変換処理して縮小変換階調データを取得し、前記縮小変換階調データを、前記２値化閾値を基準に、２値化することで、前記比較用２値化データを取得するようにしてもよい。
【００１０】
本開示の一実施形態による判定システムにおいて、前記判定装置は、前記判定像の暗部が拡大するように、前記判定像を構成する前記複数の画素領域に対して、前記対象色の階調データを画素領域の周辺の画素領域の最小値へ置き換えるように変換処理して前記拡大変換階調データを取得し、前記判定像の暗部が縮小するように、前記判定像を構成する前記複数の画素領域に対して、前記拡大変換階調データを画素領域の周辺の画素領域の最大値へ置き換えるように変換処理して前記縮小変換階調データを取得するようにしてもよい。
【００１１】
本開示の一実施形態による判定システムにおいて、前記判定装置は、前記抽出した前記判定像を構成する前記複数の画素領域における前記対象色の階調データを、前記判定像の暗部が縮小するように変換処理して縮小変換階調データを取得し、前記抽出した前記判定像を構成する前記複数の画素領域における前記縮小変換階調データを、前記判定像の暗部が拡大するように変換処理して拡大変換階調データを取得し、前記拡大変換階調データを、前記２値化閾値を基準に、２値化することで、前記比較用２値化データを取得するようにしてもよい。
【００１２】
本開示の一実施形態による判定システムにおいて、前記判定装置は、前記判定像の暗部が縮小するように、前記判定像を構成する前記複数の画素領域に対して、前記対象色の階調データを画素領域の周辺の画素領域の最大値へ置き換えるように変換処理して前記縮小変換階調データを取得し、前記判定像の暗部が拡大するように、前記判定像を構成する前記複数の画素領域に対して、前記縮小変換階調データを画素領域の周辺の画素領域の最小値へ置き換えるように変換処理して前記拡大変換階調データを取得するようにしてもよい。
【００１３】
本開示の一実施形態による判定システムにおいて、前記各判定領域に適した２値化閾値は、前記各判定領域の諧調データのヒストグラムに基づいて決定されるようにしてもよい。
【００１４】
本開示の一実施形態による判定システムにおいて、前記判定装置は、前記差分データの面積当たりの差異ドット数を前記判定値とするようにしてもよい。
【００１５】
本開示の一実施形態による判定システムにおいて、前記判定装置は、取得した前記判定値に基づいて、前記印刷物が、版による印刷方法で印刷された印刷物であるか、若しくは、面積階調方式のプリンタによる印刷方法で印刷された印刷物であるかを判定するようにしてもよい。
【００１６】
本開示の一実施形態による判定システムにおいて、前記判定装置は、前記判定値が、予め設定された判定用閾値以上である場合には、前記プリンタにより印刷されたものであると判定し、一方、前記判定値が、前記判定用閾値未満である場合には、前記版により印刷されたものであると判定するようにしてもよい。
【００１７】
本開示の一実施形態による判定システムにおいて、前記プリンタによる印刷方法は、面積階調方式による印刷であるようにしてもよい。
【００１８】
本開示の一実施形態による判定システムにおいて、前記面積階調方式の前記プリンタは、判定像を、CYM（シアン、イエロー、マゼンタ）の3色を混合して印刷するようにしてもよい。
【００１９】
本開示の一実施形態による判定システムにおいて、前記撮像データ取得装置は、前記印刷物の印刷面の撮像画像の前記撮像データを取得するイメージセンサを備えた、携帯電話又はデジタルカメラであるようにしてもよい。
【００２０】
本開示の一実施形態による判定システムにおいて、前記印刷物の本物は、前記版により印刷され、一方、前記印刷物の偽物は、前記プリンタにより印刷されており、前記判定装置は、取得した前記判定値に基づいて、前記印刷物が、前記版による印刷方法で印刷された本物の印刷物であるか、若しくは、前記プリンタによる印刷方法で印刷された偽物の印刷物であるかを判定するようにしてもよい。
【００２１】
本開示の一実施形態による判定システムにおいて、前記判定装置は、インターネットを介して、前記撮像データ取得装置が取得した前記撮像データを、受信するようにしてもよい。
【００２２】
本開示の一実施形態による判定システムにおいて、前記判定装置は、前記印刷物の前記印刷面の印刷方法の判定結果を、インターネットを介して、外部装置に送信するようにしてもよい。
【００２３】
本開示の一実施形態による判定システムにおいて、前記判定装置は、前記印刷物の前記印刷面の印刷方法の判定結果を、インターネットを介して、前記撮像データ取得装置に送信するようにしてもよい。
【００２４】
本開示の一実施形態は、印刷物の印刷面を撮影し、撮影した撮影画像の撮像データを取得する撮像データ取得装置と、前記撮像データ取得装置が取得した前記撮像データに基づいて、前記撮像データ取得装置により撮影された前記印刷物の印刷面の印刷方法を判定する判定装置と、を備えた判定システムの制御方法であって、前記判定装置は、前記撮像データ取得装置が取得した前記撮像データから、前記撮影画像に含まれる判定領域を選択し、選択した前記判定領域から予め設定された対象色の判定像を抽出し、抽出した前記判定像を構成する複数の画素領域における前記対象色の階調データを、各判定領域に適した２値化閾値を基準に、２値化することで、前記判定像の２値化された基準用２値化データを取得し、前記抽出した前記判定像を構成する前記複数の画素領域における前記対象色の階調データを、前記判定像の暗部に関して変換した変換階調データを取得し、取得した前記変換階調データを、前記２値化閾値を基準に、２値化することで、比較用２値化データを取得し、前記基準用２値化データと前記比較用２値化データとを比較した比較結果に基づいて、前記印刷物の前記印刷面の印刷方法を判定するための判定値を取得し、取得した前記判定値に基づいて、前記印刷物の前記印刷面の印刷方法を判定する、判定システムの制御方法である。
【００２５】
本開示の一実施形態は、印刷物の印刷面を撮影し、撮影した撮影画像の撮像データを取得する撮像データ取得装置を備えた判定システムに適用され、前記撮像データ取得装置が取得した前記撮像データに基づいて、前記撮像データ取得装置により撮影された前記印刷物の印刷面の印刷方法を判定する判定装置であって、前記判定装置は、前記撮像データ取得装置が取得した前記撮像データから、前記撮影画像に含まれる判定領域を選択し、選択した前記判定領域から予め設定された対象色の判定像を抽出し、抽出した前記判定像を構成する複数の画素領域における前記対象色の階調データを、各判定領域に適した２値化閾値を基準に、２値化することで、前記判定像の２値化された基準用２値化データを取得し、前記抽出した前記判定像を構成する前記複数の画素領域における前記対象色の階調データを、前記判定像の暗部に関して変換した変換階調データを取得し、取得した前記変換階調データを、前記２値化閾値を基準に、２値化することで、比較用２値化データを取得し、前記基準用２値化データと前記比較用２値化データとを比較した比較結果に基づいて、前記印刷物の前記印刷面の印刷方法を判定するための判定値を取得し、取得した前記判定値に基づいて、前記印刷物の前記印刷面の印刷方法を判定する、判定装置である。
【００２６】
本開示の一実施形態は、印刷物の印刷面を撮影し、撮影した撮影画像の撮像データを取得する撮像データ取得装置を備えた判定システムに適用され、前記撮像データ取得装置が取得した前記撮像データに基づいて、前記撮像データ取得装置により撮影された前記印刷物の印刷面の印刷方法を判定する判定装置の制御方法であって、前記判定装置は、前記撮像データ取得装置が取得した前記撮像データから、前記撮影画像に含まれる判定領域を選択し、選択した前記判定領域から予め設定された対象色の判定像を抽出し、抽出した前記判定像を構成する複数の画素領域における前記対象色の階調データを、各判定領域に適した２値化閾値を基準に、２値化することで、前記判定像の２値化された基準用２値化データを取得し、前記抽出した前記判定像を構成する前記複数の画素領域における前記対象色の階調データを、前記判定像の暗部に関して変換した変換階調データを取得し、取得した前記変換階調データを、前記２値化閾値を基準に、２値化することで、比較用２値化データを取得し、前記基準用２値化データと前記比較用２値化データとを比較した比較結果に基づいて、前記印刷物の前記印刷面の印刷方法を判定するための判定値を取得し、取得した前記判定値に基づいて、前記印刷物の前記印刷面の印刷方法を判定する、判定装置の制御方法である。
【００２７】
本開示の一実施形態は、印刷物の印刷面を撮影し、撮影した撮影画像の撮像データを取得する撮像データ取得装置を備えた判定システムに適用され且つコンピュータを備える判定装置により、実行されるプログラムであって、前記判定装置が、前記撮像データ取得装置が取得した前記撮像データから、前記撮影画像に含まれる判定領域を選択し、選択した前記判定領域から予め設定された対象色の判定像を抽出し、抽出した前記判定像を構成する複数の画素領域における前記対象色の階調データを、各判定領域に適した２値化閾値を基準に、２値化することで、前記判定像の２値化された基準用２値化データを取得し、前記抽出した前記判定像を構成する前記複数の画素領域における前記対象色の階調データを、前記判定像の暗部に関して変換した変換階調データを取得し、取得した前記変換階調データを、前記２値化閾値を基準に、２値化することで、比較用２値化データを取得し、前記基準用２値化データと前記比較用２値化データとを比較した比較結果に基づいて、前記印刷物の前記印刷面の印刷方法を判定するための判定値を取得し、取得した前記判定値に基づいて、前記印刷物の前記印刷面の印刷方法を判定する処理を前記コンピュータに実行させる、プログラムである。
【００２８】
本開示の実施形態によれば、版による印刷方法で印刷された印刷物であるか、若しくは、インクジェットなどの面積階調方式のプリンタによる印刷方法で印刷された印刷物であるかを判別することができる。
【図面の簡単な説明】
【００２９】
【図１】図１は、一実施の形態に係る判定システム１００の構成の一例を示す構成図である。
【図２】図２は、図１に示す判定システム１００（判定装置１０）の制御方法の一例を示すフロー図である。
【図３】図３は、印刷物Ａの印刷面Ｂの一例を示す図である。
【図４Ａ】図４Ａは、オフセット印刷法を用いた版により印刷された場合における、図３に示す印刷物Ａの印刷面Ｂの領域Ｙの対象色（青色）の像Ｌを拡大して示す図である。
【図４Ｂ】図４Ｂは、面積階調方式のプリンタにより印刷された場合における、図３に示す印刷物Ａの印刷面Ｂの領域Ｙの対象色（青色）の像（線）Ｌを拡大して示す図である。
【図５】図５は、面積階調方式のプリンタによりCYM（シアンＣ、イエローＹ、マゼンタＭ）の3色を混合して印刷された対象色（青）の像を拡大した一例を示す図である。
【図６】図６は、印刷物Ａの印刷面Ｂの複数の判定領域Ｚ１、Ｚ２の一例を示す図である。
【図７Ａ】図７Ａは、面積階調方式のプリンタにより印刷された場合における、図６に示す印刷物Ａの印刷面Ｂの選択した判定領域Ｚ１に含まれる対象色の判定像の一例を示す図である。
【図７Ｂ】図７Ｂは、版により印刷された場合における、図６に示す印刷物Ａの印刷面Ｂの選択した判定領域Ｚ１に含まれる対象色の判定像の一例を示す図である。
【図８Ａ】図８Ａは、プリンタにより印刷された場合における、図７Ａの対象色を抽出した判定像Ｌを拡大して示す図である。
【図８Ｂ】図８Ｂは、版により印刷された場合における、図７Ａの対象色を抽出した判定像Ｌを拡大して示す図である。
【図９Ａ】図９Ａは、プリンタにより印刷された場合における、図８Ａの対象色を抽出した判定像Ｌの当該対象色の階調データを、２値化閾値を基準に、２値化した基準用２値化データの例を示す図である。
【図９Ｂ】図９Ｂは、版により印刷された場合における、図８Ｂの対象色を抽出した判定像Ｌの当該対象色の階調データを、２値化閾値を基準に、２値化した基準用２値化データの例を示す図である。
【図１０Ａ】図１０Ａは、プリンタにより印刷された場合における、図８Ａの対象色を抽出した判定像Ｌの当該対象色の階調データを、判定像Ｌの対象色に関して変換して拡大、縮小処理を実行し、取得した変換階調データを、２値化閾値を基準に、２値化した比較用２値化データの例を示す図である。
【図１０Ｂ】図１０Ｂは、版により印刷された場合における、図８Ｂの対象色を抽出した判定像Ｌの当該対象色の階調データを、判定像Ｌの対象色に関して変換して拡大、縮小処理を実行し、取得した変換階調データを、２値化閾値を基準に、２値化した比較用２値化データの例を示す図である。
【図１１Ａ】図１１Ａは、プリンタにより印刷された場合における、図１０Ａに示す対象色の判定像に対応した、基準用２値化データと比較用２値化データとの差分である差分データの一例を示す図である。
【図１１Ｂ】図１１Ｂは、版により印刷された場合における、図１０Ｂに示す対象色の判定像に対応した、基準用２値化データと比較用２値化データとの差分である差分データの一例を示す図である。
【発明を実施するための形態】
【００３０】
以下、本開示の実施形態に係る判定装置の構成及びその制御方法について、図面を参照しながら詳細に説明する。なお、以下に示す実施形態は本開示の実施形態の一例であって、本開示はこれらの実施形態に限定して解釈されるものではない。また、本明細書において用いる、形状や幾何学的条件並びにそれらの程度を特定する、例えば、「平行」や「直交」等の用語や長さや角度の値等については、厳密な意味に縛られることなく、同様の機能を期待し得る程度の範囲を含めて解釈することとする。また、本実施形態で参照する図面において、同一部分または同様な機能を有する部分には同一の符号または類似の符号を付し、その繰り返しの説明は省略する場合がある。また、図面の寸法比率は説明の都合上実際の比率とは異なる場合や、構成の一部が図面から省略される場合がある。
【００３１】
以下、図１乃至図１１Ｂを参照して、本開示の一実施の形態について説明する。  
【００３２】
［判定システム］
図１は、一実施の形態に係る判定システム１００の構成の一例を示す構成図である。また、図２は、図１に示す判定システム１００（判定装置１０）の制御方法の一例を示すフロー図である。なお、図２に示す処理は、主として判定装置１０の処理部１２が予め用意されたプログラムを実行することにより実施される。
【００３３】
判定システム１００は、例えば、図１に示すように、判定装置１０と、撮像データ取得装置２０と、外部装置３０と、を備える。なお、この図１に示す判定システム１００において、外部装置３０は、必要に応じて、省略されていてもよい。
【００３４】
［撮像データ取得装置］
撮像データ取得装置２０は、印刷物Ａの印刷面Ｂを撮影し、撮影した撮影画像の撮像データを取得するようになっている。この撮像データ取得装置２０が取得した撮像データは、インターネット等の無線通信により、撮像データ取得装置２０の通信部２１、判定装置１０の通信部１１を介して、判定装置１０の処理部１２に送られるようになっている。なお、印刷物Ａは、例えば、商品券、紙幣、運転免許証、住民基本台帳カード、在留カード、特別永住者証明書、又は、パスポート等である。
【００３５】
ここで、この撮像データ取得装置２０は、例えば、図１に示すように、通信部２１と、処理部２２と、記憶部２３と、表示部２４と、操作部２５と、撮像部２６と、を備える。なお、この図１に示す撮像データ取得装置２０の構成は、一例であり、必要に応じてその構成の一部が省略され、又、他の構成を追加するようにしてもよい。
【００３６】
そして、通信部２１は、判定装置１０の通信部１１と、インターネット等の無線通信により、所定のデータ等を送受信するようになっている。なお、必要に応じて、通信部２１は、通信部１１と、有線通信により、所定のデータ等を送受信するようにしてもよい。
【００３７】
また、処理部２２は、例えば、ＣＰＵなどのコンピュータにより構成され、撮像部２６の動作の制御を含む、撮像データ取得装置２０の必要な処理を実行するようになっている。
【００３８】
また、記憶部２３は、例えば、撮像データ取得装置２０の処理部２２により実行される処理のプログラム、及び、その処理に必要なデータを記憶している。そして、この記憶部２３は、撮像部２６により生成された撮像データを一時的に保存するようになっている。
【００３９】
また、表示部２４は、例えば、撮像データ取得装置２０の処理部２２により実行される内容等を表示するディスプレイである。
【００４０】
また、操作部２５は、例えば、撮像データ取得装置２０のユーザにより操作される入力装置であり、撮像データ取得装置２０は当該操作に応じた処理を処理部２２に実行させるようになっている。
【００４１】
また、撮像部２６は、印刷物Ａの印刷面Ｂを撮影し、撮影した撮影画像の撮像データを取得するようになっている。この撮像部２６は、例えば、イメージセンサである。
【００４２】
この撮像データ取得装置２０は、例えば、印刷物Ａの印刷面Ｂの撮像画像の撮像データを取得するイメージセンサ（撮像部２６）を備えた、携帯電話（スマートホン）又はデジタルカメラである。なお、撮像データは、例えば、ＲＧＢカラーの階調データである。
【００４３】
［判定装置］
判定装置１０は、撮像データ取得装置２０が取得した撮像データに基づいて、撮像データ取得装置２０により撮影された印刷物Ａの印刷面Ｂの印刷方法を判定するようになっている。
【００４４】
例えば、図２に示すように、判定装置１０は、撮像データ取得装置２０が取得した撮像データから、撮影画像に含まれる判定領域を選択する（画像の切り出しをする）ようになっている（図２のステップＳ１）。
【００４５】
そして、判定装置１０は、選択した判定領域から予め設定された対象色の判定像Ｌを抽出（対象色の抽出）するようになっている（図２のステップＳ２）。
【００４６】
なお、判定装置１０は、対象色の判定像Ｌに関して、RGB（シアンの場合はB（Blue）など）で近い色を抽出、若しくは、CMY（シアンの場合、255-R（Red）等）の変換により、抽出する（対象画像、色により選択色を決定する。）。
【００４７】
そして、判定装置１０は、抽出した判定像Ｌを構成する複数の画素領域における対象色の階調データを、各判定領域に適した（予め設定された）２値化閾値を基準に、２値化することで、判定像Ｌの２値化された基準用２値化データを取得（算出）するようになっている（図２のステップＳ３）。
【００４８】
なお、各判定領域に適した２値化閾値は、例えば、各判定領域の諧調データのヒストグラムに基づいて決定される。
【００４９】
一方、判定装置１０は、抽出した判定像Ｌを構成する複数の画素領域における対象色の階調データを、判定像Ｌの暗部（対象色の部分）に関して変換した変換階調データを取得（算出）し、取得した変換階調データを、既述の２値化閾値を基準に、２値化することで、比較用２値化データを取得（算出）するようになっている（図２のステップＳ４）。
【００５０】
より詳しくは、このステップＳ４では、判定装置１０は、抽出した判定像Ｌを構成する複数の画素領域における対象色の階調データを、判定像Ｌの暗部が拡大するように変換処理して拡大変換階調データを取得（算出）するようになっている（暗部の拡大処理）。そして、判定装置１０は、抽出した判定像Ｌを構成する複数の画素領域における当該拡大変換階調データを、判定像Ｌの暗部が縮小するように変換処理して縮小変換階調データを取得（算出）するようになっている（暗部の縮小処理）。そして、判定装置１０は、当該縮小変換階調データを、既述の２値化閾値を基準に、２値化することで、既述の比較用２値化データを取得（算出）するようになっている。
【００５１】
なお、この場合、判定装置１０は、判定像Ｌの暗部が拡大するように、判定像Ｌを構成する複数の画素領域に対して、対象色の階調データを画素領域の周辺の画素領域の最小値へ置き換えるように変換処理して当該拡大変換階調データを取得（算出）するようになっている。
【００５２】
より具体的には、暗部の拡大処理としては、対象の画素領域（対象ドット）に対して、階調データを、例えば、周辺の3x3領域の最小値へ置き換える処理を実行する。
【００５３】
さらに、この場合、判定装置１０は、判定像Ｌの暗部が縮小するように、判定像Ｌを構成する複数の画素領域に対して、拡大変換階調データを画素領域の周辺の画素領域の最大値へ置き換えるように変換処理して縮小変換階調データを取得（算出）するようになっている。
【００５４】
より具体的には、暗部の縮小処理としては、対象の画素領域（対象ドット）に対して、階調データを、例えば、周辺の3x3領域の最大値へ置き換える処理を実行する。
【００５５】
なお、さらに他の場合として、このステップＳ４では、判定装置１０は、抽出した判定像Ｌを構成する複数の画素領域における対象色の階調データを、判定像Ｌの暗部が縮小するように変換処理して縮小変換階調データを取得（算出）するようにしてもよい（暗部の縮小処理）。そして、判定装置１０は、抽出した判定像Ｌを構成する複数の画素領域における縮小変換階調データを、判定像Ｌの暗部が拡大するように変換処理して拡大変換階調データを取得（算出）するようにしてもよい（暗部の拡大処理）。そして、判定装置１０は、当該拡大変換階調データを、既述の２値化閾値を基準に、２値化することで、既述の比較用２値化データを取得（算出）するようにしてもよい。
【００５６】
この場合、判定装置１０は、判定像Ｌの暗部が縮小するように、判定像Ｌを構成する複数の画素領域に対して、対象色の階調データを画素領域の周辺の画素領域の最大値へ置き換えるように変換処理して縮小変換階調データを取得（算出）するようになっている。
【００５７】
さらに、この場合、判定装置１０は、判定像Ｌの暗部が拡大するように、判定像Ｌを構成する複数の画素領域に対して、縮小変換階調データを画素領域の周辺の画素領域の最小値へ置き換えるように変換処理して拡大変換階調データを取得（算出）するようになっている。
【００５８】
そして、上述のステップＳ４の後、判定装置１０は、既述の基準用２値化データと比較用２値化データとを比較した比較結果に基づいて、印刷物Ａの印刷面Ｂの印刷方法を判定するための判定値を取得（算出）し、取得した判定値に基づいて、印刷物Ａの印刷面Ｂの印刷方法を判定するようになっている（図２のステップＳ５）。
【００５９】
特に、判定装置１０は、基準用２値化データと比較用２値化データとの差分である差分データを比較結果として取得（算出）し、取得した比較結果である差分データに基づいて、既述の判定値を取得（算出）するようになっている。
【００６０】
そして、判定装置１０は、取得した判定値に基づいて、印刷物Ａの印刷面Ｂの印刷方法を判定するようになっている。
【００６１】
特に、判定装置１０の処理部１２は、取得した判定値に基づいて、印刷物Ａが、対象色の判定像が版により印刷された印刷物Ａであるか、若しくは、対象色の判定像がプリンタにより印刷された印刷物Ａであるかを判定するようになっている。
【００６２】
なお、判定装置は、例えば、当該差分データの面積当たりの差異ドット数を判定値とするようにしてもよい。
【００６３】
ここで、判定装置１０は、例えば、図１に示すように、通信部１１と、処理部１２と、記憶部１３と、表示部１４と、操作部１５と、を備える。なお、この図１に示す判定装置１０の構成は、一例であり、必要に応じてその構成の一部が省略され、又、他の構成を追加するようにしてもよい。
【００６４】
そして、通信部１１は、撮像データ取得装置２０の通信部２１や外部装置３０の通信部３１と、インターネット等の無線通信により、所定のデータ等を送受信するようになっている。なお、必要に応じて、通信部１１は、通信部２１、３１と、有線通信により、所定のデータ等を送受信するようにしてもよい。
【００６５】
また、表示部１４は、例えば、判定装置１０の処理部１２により実行される判定結果等を表示するディスプレイである。
【００６６】
また、操作部１５は、判定装置１０のユーザにより操作される入力装置であり、判定装置１０は当該操作に応じた処理を処理部１２に実行させるようになっている。
【００６７】
また、処理部１２は、例えば、ＣＰＵなどのコンピュータにより構成され、判定装置１０の必要な処理を実行するようになっている。
【００６８】
そして、処理部１２は、通信部１１により、インターネットを介して、撮像データ取得装置２０が取得した撮像データを、受信するようになっている。
【００６９】
この処理部１２は、例えば、撮像データ取得装置２０が取得した撮像データから、撮影画像に含まれる判定領域を選択し（図２のステップＳ１）、選択した判定領域から予め設定された対象色の判定像Ｌを抽出し（図２のステップＳ２）、抽出した判定像Ｌを構成する複数の画素領域における対象色の階調データを、各判定領域に適した（予め設定された）２値化閾値を基準に、２値化することで、判定像Ｌの２値化された基準用２値化データを取得（算出）し（図２のステップＳ３）、抽出した判定像Ｌを構成する複数の画素領域における対象色の階調データを、判定像Ｌの暗部に関して変換した変換階調データを取得（算出）し、取得した変換階調データを、２値化閾値を基準に、２値化することで、比較用２値化データを取得（算出）し（図２のステップＳ４）、基準用２値化データと比較用２値化データとを比較した比較結果に基づいて、印刷物Ａの印刷面Ｂの印刷方法を判定するための判定値を取得（算出）し、取得した判定値に基づいて、印刷物Ａの印刷面Ｂの印刷方法を判定する（図２のステップＳ５）ようになっている。
【００７０】
また、記憶部１３は、判定装置１０の処理部１２により実行される処理のプログラム、及び、その処理に必要なデータを記憶している。
【００７１】
なお、当該プログラムは、少なくとも、コンピュータ（処理部１２）を備える判定装置１０により実行されるプログラムであって、撮像データ取得装置２０が取得した撮像データから、撮影画像に含まれる判定領域を選択し（図２のステップＳ１）、選択した判定領域から予め設定された対象色の判定像Ｌを抽出し（図２のステップＳ２）、抽出した判定像Ｌを構成する複数の画素領域における対象色の階調データを、各判定領域に適した（予め設定された）２値化閾値を基準に、２値化することで、判定像Ｌの２値化された基準用２値化データを取得（算出）し（図２のステップＳ３）、抽出した判定像Ｌを構成する複数の画素領域における対象色の階調データを、判定像Ｌの暗部に関して変換した変換階調データを取得（算出）し、取得した変換階調データを、２値化閾値を基準に、２値化することで、比較用２値化データを取得（算出）し（図２のステップＳ４）、基準用２値化データと比較用２値化データとを比較した比較結果に基づいて、印刷物Ａの印刷面Ｂの印刷方法を判定するための判定値を取得（算出）し、取得した判定値に基づいて、印刷物Ａの印刷面Ｂの印刷方法を判定する（図２のステップＳ５）処理を、コンピュータ（処理部１２）に実行させるようになっている。
【００７２】
ここで、例えば、判定装置１０の処理部１２は、既述の判定値が、予め設定された判定用閾値以上（対象色の判定像Ｌの色ムラの割合が所定値以上）である場合には、印刷物Ａが既述のプリンタにより印刷されたものであると判定するようになっている。
【００７３】
一方、判定装置１０の処理部１２は、既述の判定値が、判定用閾値未満（対象色の判定像Ｌの色ムラの割合が所定値未満）である場合には、印刷物Ａが既述の版により印刷されたものであると判定するようになっている。
【００７４】
そして、判定装置１０の処理部１２は、既述の取得した判定値に基づいて、印刷物Ａが、既述の版による印刷方法で印刷された本物の印刷物Ａであるか、若しくは、既述のプリンタによる印刷方法で印刷された偽物の印刷物Ａであるかを判定するようになっている。
【００７５】
ここで、具体的には、例えば、既述の判定値は、判定領域に対する、2値化された判定像の比較において差異ドット数の割合などから算出され、撮像データ取得装置２０による版の印刷物Ａの画像から判定用閾値を算出して、当該判定用閾値以上の印刷物Ａが、面積諧調方式のプリンタによるものと判定される。
【００７６】
そして、判定装置１０の処理部１２は、印刷物Ａの印刷面Ｂの印刷方法の判定結果を、インターネットを介して、撮像データ取得装置２０に送信するようになっている。
【００７７】
なお、判定装置１０の処理部１２は、通信部１１により、印刷物Ａの印刷面Ｂの印刷方法の判定結果を、インターネットを介して、外部装置３０に送信するようにしてもよい。
【００７８】
［外部装置］
また、外部装置３０は、例えば、判定装置１０から受信した判定結果等に基づいて、必要な処理を実行するサーバーである。
【００７９】
ここで、外部装置３０は、例えば、図１に示すように、通信部３１と、処理部３２と、記憶部３３と、表示部３４と、操作部３５と、を備える。なお、この図１に示す外部装置３０の構成は、一例であり、必要に応じてその構成の一部が省略され、又、他の構成を追加するようにしてもよい。
【００８０】
そして、通信部３１は、判定装置１０の通信部１１と、インターネット等の無線通信により、所定のデータ等を送受信するようになっている。なお、必要に応じて、通信部３１は、通信部１１と、有線通信により、所定のデータ等を送受信するようにしてもよい。
【００８１】
また、処理部３２は、例えば、ＣＰＵなどのコンピュータにより構成され、外部装置３０の必要な処理を実行するようになっている。
【００８２】
また、記憶部３３は、外部装置３０の処理部３２により実行される処理のプログラム、及び、その処理に必要なデータを記憶している。
【００８３】
また、表示部３４は、例えば、外部装置３０の処理部３２により実行される内容等を表示するディスプレイである。
【００８４】
また、操作部３５は、外部装置３０のユーザにより操作される入力装置であり、外部装置３０は当該操作に応じた処理を処理部３２に実行させるようになっている。
【００８５】
［判定方法の基本原理］
ここで、 本実施形態による判定方法の基本原理について説明する。既述のように、本実施形態の判定システム１００は、版による印刷方法で印刷された印刷物Ａであるか、若しくは、インクジェットなどの面積階調方式のプリンタによる印刷方法で印刷された印刷物Ａであるかを判定し、印刷物Ａである金券や身分証明書などの真贋判定を行うようになっている。
【００８６】
そして、例えば、印刷物Ａの本物は、オフセット印刷等の版によりにより印刷される。
【００８７】
これに対して、印刷物Ａの偽物は、本物の印刷物Ａを、例えば、スキャナにより撮像して得られた撮像データを用いて、印刷物Ａの印刷面Ｂがインクジェットなどの面積階調方式のプリンタによる印刷により、製造されることが多い。なお、プリンタによる印刷方法には、例えばインクジェットなどの面積階調方式による印刷などが含まれる。この面積階調方式のプリンタは、例えば、印刷物ＡをCYM（シアン、イエロー、マゼンタ）の3色を混合して印刷するようになっている。すなわち、面積階調方式のプリンタは、判定像Ｌを、CYM（シアン、イエロー、マゼンタ）の3色を混合して印刷するようになっている。
【００８８】
そこで、本実施形態の判定装置は、版による印刷方法で印刷された印刷物Ａであるか、若しくは、インクジェットなどの面積階調方式のプリンタによる印刷方法で印刷された印刷物Ａであるかを判定し、金券や身分証明書などの真贋判定する。
【００８９】
ここで、図３は、印刷物Ａの印刷面Ｂの一例を示す図である。また、図４Ａは、オフセット印刷法を用いた版により印刷された場合における、図３に示す印刷物Ａの印刷面Ｂの領域Ｙの対象色（青色）の像Ｌを拡大して示す図である。また、図４Ｂは、面積階調方式のプリンタにより印刷された場合における、図３に示す印刷物Ａの印刷面Ｂの領域Ｙの対象色（青色）の像（線）Ｌを拡大して示す図である。
【００９０】
例えば、図３に示すように、商品券である印刷物Ａの印刷面Ｂには、対象色（例えば、青）の像Ｌを有する領域Ｙが存在する。
【００９１】
そして、例えば、図４Ａに示すように、印刷物Ａがオフセット印刷等の版による印刷方法で印刷された本物である場合、印刷物Ａの印刷面Ｂの領域Ｙの対象色の像Ｌには色ムラがほとんど見られない。
【００９２】
一方、例えば、図４Ｂに示すように、印刷物Ａがプリンタによる印刷により印刷された偽物である場合、印刷物Ａの印刷面Ｂの領域Ｙの対象色の像Ｌには色ムラが発生している。
【００９３】
ここで、印刷物Ａがプリンタによる印刷により印刷された偽物である場合、印刷物Ａの印刷面Ｂの領域Ｙの対象色の像Ｌの端部に色ムラが発生する原理について説明する。
【００９４】
図５は、面積階調方式のプリンタによりCYM（シアンＣ、イエローＹ、マゼンタＭ）の3色を混合して印刷された、３色の位置が印刷された場合の対象色（青）の像を拡大した一例を示す図である。
【００９５】
図５に示すように、インクジェットなどの面積諧調方式のプリンタで、原色（シアン、イエロー、マゼンタなど）一色に近い色を印刷した場合、各色のドットがまばらに打たれるために、撮影画像に色ムラ（白抜けなど）が観測される。
【００９６】
特に、プリンタは、例えば、駆動系（例えば、モーター）により印刷部（プリントヘッド、紙送り）を走査して印刷するようになっている。このプリンタによる描画が紙送りなど、紙送りなど駆動系（モーター）を使用する微小な誤差が発生すると、対象色の像には、より顕著に色ムラが発生することとなる。
【００９７】
このように、印刷物Ａがインクジェットなどの面積階調方式のプリンタによる印刷により印刷された偽物である場合、対象色の判定像Ｌには、色ムラ（白抜けなど）が発生する（すなわち、後述の図１１Ａに示すように、差分データの値が大きくなる）。
【００９８】
一方、既述のように、印刷物Ａが版による印刷方法で印刷された本物である場合、対象色の判定像Ｌには色ムラ（白抜けなど）が発生しない（すなわち、後述の図１１Ｂに示すように、差分データの値が小さくなる）。
【００９９】
よって、本実施形態では、既述のように、版による印刷方法で印刷された印刷物Ａであるか、若しくは、インクジェットなどの面積階調方式のプリンタによる印刷方法で印刷された印刷物Ａであるかを判別することにより、その印刷物Ａが本物又は偽物であるがを判定するものである。  
【０１００】
なお、既述のように、プリンタによる印刷方法は、例えば、面積階調方式による印刷である。
【０１０１】
［判定システムの制御方法］
次に、判定システム１００の判定方法である制御方法、特に、判定装置の制御方法の一例について説明する。
【０１０２】
ここで、図６は、印刷物Ａの印刷面Ｂの複数の判定領域Ｚ１、Ｚ２の一例を示す図である。また、図７Ａは、面積階調方式のプリンタにより印刷された場合における、図６に示す印刷物Ａの印刷面Ｂの選択した判定領域Ｚ１に含まれる対象色の判定像の一例を示す図である。また、図７Ｂは、版により印刷された場合における、図６に示す印刷物Ａの印刷面Ｂの選択した判定領域Ｚ１に含まれる対象色の判定像の一例を示す図である。また、図８Ａは、プリンタにより印刷された場合における、図７Ａの対象色を抽出した判定像Ｌを拡大して示す図である。また、図８Ｂは、版により印刷された場合における、図７Ａの対象色を抽出した判定像Ｌを拡大して示す図である。また、図９Ａは、プリンタにより印刷された場合における、図８Ａの対象色を抽出した判定像Ｌの当該対象色の階調データを、２値化閾値を基準に、２値化した基準用２値化データの例を示す図である。また、図９Ｂは、版により印刷された場合における、図８Ｂの対象色を抽出した判定像Ｌの当該対象色の階調データを、２値化閾値を基準に、２値化した基準用２値化データの例を示す図である。また、図１０Ａは、プリンタにより印刷された場合における、図８Ａの対象色を抽出した判定像Ｌの当該対象色の階調データを、判定像Ｌの対象色に関して変換して拡大、縮小処理を実行し、取得した変換階調データを、２値化閾値を基準に、２値化した比較用２値化データの例を示す図である。また、図１０Ｂは、版により印刷された場合における、図８Ｂの対象色を抽出した判定像Ｌの当該対象色の階調データを、判定像Ｌの対象色に関して変換して拡大、縮小処理を実行し、取得した変換階調データを、２値化閾値を基準に、２値化した比較用２値化データの例を示す図である。また、図１１Ａは、プリンタにより印刷された場合における、図１０Ａに示す対象色の判定像に対応した、基準用２値化データと比較用２値化データとの差分である差分データの一例を示す図である。また、図１１Ｂは、版により印刷された場合における、図１０Ｂに示す対象色の判定像に対応した、基準用２値化データと比較用２値化データとの差分である差分データの一例を示す図である。
【０１０３】
例えば、図６に示すように、商品券である印刷物Ａの印刷面Ｂには、商品券である印刷物Ａの印刷面Ｂには、対象色の像を有する領域Ｚ１〜Ｚ２が存在する。
【０１０４】
そして、例えば、図７Ａ、図７Ｂに示すように、判定装置１０の処理部１２は、撮像データ取得装置２０が取得した撮像データから、撮影画像に含まれる図６に示す判定領域Ｚ２を選択する（図２のステップＳ１に対応）。
【０１０５】
そして、図８Ａ、図８Ｂに示すように、判定装置１０の処理部１２は、選択した判定領域Ｚ２から予め設定された対象色（青）の判定像Ｌを抽出（対象色の抽出）する（図２のステップＳ２に対応）。
【０１０６】
なお、既述のように、判定装置１０の処理部１２は、対象色の判定像Ｌに関して、RGB（シアンの場合はB（Blue）など）で近い色を抽出、若しくは、CMY（シアンの場合、255-R（Red）等）の変換により、抽出する（対象画像、色により選択色を決定する。）。
【０１０７】
そして、判定装置１０の処理部１２は、図９Ａ、図９Ｂに示すように、抽出した判定像Ｌを構成する複数の画素領域における対象色の階調データを、各判定領域に適した（予め設定された）２値化閾値を基準に、２値化することで、判定像Ｌの２値化された基準用２値化データを取得（算出）する（図２のステップＳ３に対応）。
【０１０８】
なお、図９Ａ、図９Ｂにおいて、２値化された判定像Ｌの対象色の領域（暗部）は階調データ“０”となり、対象色以外の領域は、階調データ“２５５”として表記されている。
【０１０９】
なお、既述のように、各判定領域に適した２値化閾値は、例えば、各判定領域の諧調データのヒストグラムに基づいて決定される。
【０１１０】
一方、判定装置１０の処理部１２は、図１０Ａ、図１０Ｂに示すように、抽出した判定像Ｌを構成する複数の画素領域における対象色の階調データを、判定像Ｌの暗部（対象色の部分）に関して変換した変換階調データを取得（算出）し、取得した変換階調データを、既述の２値化閾値を基準に、２値化することで、比較用２値化データを取得（算出）する（図２のステップＳ４に対応）。
【０１１１】
より詳しくは、このステップＳ４では、判定装置１０の処理部１２は、抽出した判定像Ｌを構成する複数の画素領域における対象色の階調データを、判定像Ｌの暗部が拡大するように変換処理して拡大変換階調データを取得（算出）する（暗部の拡大処理）。そして、判定装置１０の処理部１２は、抽出した判定像Ｌを構成する複数の画素領域における当該拡大変換階調データを、判定像Ｌの暗部が縮小するように変換処理して縮小変換階調データを取得（算出）する（暗部の縮小処理）。そして、判定装置１０の処理部１２は、当該縮小変換階調データを、既述の２値化閾値を基準に、２値化することで、既述の比較用２値化データを取得（算出）する。
【０１１２】
なお、この場合、判定装置１０の処理部１２は、判定像Ｌの暗部が拡大するように、判定像Ｌを構成する複数の画素領域に対して、対象色の階調データを画素領域の周辺の画素領域の最小値へ置き換えるように変換処理して当該拡大変換階調データを取得（算出）する。
【０１１３】
より具体的には、暗部の拡大処理としては、対象の画素領域（対象ドット）に対して、階調データを、例えば、周辺の3x3領域の最小値へ置き換える処理を実行する。
【０１１４】
さらに、この場合、判定装置１０の処理部１２は、判定像Ｌの暗部が縮小するように、判定像Ｌを構成する複数の画素領域に対して、拡大変換階調データを画素領域の周辺の画素領域の最大値へ置き換えるように変換処理して縮小変換階調データを取得（算出）する。
【０１１５】
より具体的には、暗部の縮小処理としては、対象の画素領域（対象ドット）に対して、階調データを、例えば、周辺の3x3領域の最大値へ置き換える処理を実行する。
【０１１６】
なお、さらに他の場合として、このステップＳ４では、判定装置１０の処理部１２は、抽出した判定像Ｌを構成する複数の画素領域における対象色の階調データを、判定像Ｌの暗部が縮小するように変換処理して縮小変換階調データを取得（算出）するようにしてもよい（暗部の縮小処理）。そして、判定装置１０の処理部１２は、抽出した判定像Ｌを構成する複数の画素領域における縮小変換階調データを、判定像Ｌの暗部が拡大するように変換処理して拡大変換階調データを取得（算出）するようにしてもよい（暗部の拡大処理）。そして、判定装置１０の処理部１２は、当該拡大変換階調データを、既述の２値化閾値を基準に、２値化することで、既述の比較用２値化データを取得（算出）するようにしてもよい。
【０１１７】
この場合、判定装置１０の処理部１２は、判定像Ｌの暗部が縮小するように、判定像Ｌを構成する複数の画素領域に対して、対象色の階調データを画素領域の周辺の画素領域の最大値へ置き換えるように変換処理して縮小変換階調データを取得（算出）する。
【０１１８】
さらに、この場合、判定装置１０の処理部１２は、判定像Ｌの暗部が拡大するように、判定像Ｌを構成する複数の画素領域に対して、縮小変換階調データを画素領域の周辺の画素領域の最小値へ置き換えるように変換処理して拡大変換階調データを取得（算出）する。
【０１１９】
そして、判定装置１０の処理部１２は、取得した判定値に基づいて、印刷物Ａの印刷面Ｂの印刷方法を判定する。
【０１２０】
そして、上述のステップＳ４の後、判定装置１０の処理部１２は、既述の基準用２値化データと比較用２値化データとを比較した比較結果に基づいて、印刷物Ａの印刷面Ｂの印刷方法を判定するための判定値を取得（算出）し、取得した判定値に基づいて、印刷物Ａの印刷面Ｂの印刷方法を判定する（図２のステップＳ５に対応）。
【０１２１】
特に、判定装置１０の処理部１２は、図１１Ａ、図１１Ｂに示すように、基準用２値化データと比較用２値化データとの差分である差分データを比較結果として取得（算出）し、取得した比較結果である差分データに基づいて、既述の判定値を取得（算出）する。
【０１２２】
そして、例えば、判定装置１０の処理部１２は、既述の判定値が、予め設定された判定用閾値以上（すなわち、図９Ａ、図１０Ａ、図１１Ａに示すように、対象色の判定像の色ムラの割合が所定値以上）である場合には、印刷物Ａが既述のプリンタにより印刷されたものであると判定する。
【０１２３】
一方、判定装置１０の処理部１２は、既述の判定値が、判定用閾値未満（すなわち、図９Ｂ、図１０Ｂ、図１１Ｂに示すように、対象色の判定像の色ムラの割合が所定値未満）である場合には、印刷物Ａが既述の版により印刷されたものであると判定する。
【０１２４】
このように、判定装置１０は、当該取得した判定値に基づいて、印刷物Ａが、既述の版による印刷方法で印刷された本物の印刷物Ａであるか、若しくは、既述のプリンタによる印刷方法で印刷された偽物の印刷物Ａであるかを判定する。
【０１２５】
そして、判定装置１０の処理部１２は、印刷物Ａの印刷面Ｂの印刷方法の判定結果を、インターネットを介して、撮像データ取得装置２０（携帯電話）に送信する。
【０１２６】
これにより、撮像データ取得装置２０（携帯電話）の表示部２４に印刷物Ａの印刷面Ｂの印刷方法の判定結果を表示することで、撮像データ取得装置２０（携帯電話）のユーザは、当該判定結果を知得することができる。
【０１２７】
また、判定装置１０の処理部１２は、通信部１１により、印刷物Ａの印刷面Ｂの印刷方法の判定結果を、インターネットを介して、外部装置３０に送信するようにしてもよい。
【０１２８】
これにより、外部装置３０の表示部３４に印刷物Ａの印刷面Ｂの印刷方法の判定結果を表示することで、撮像データ取得装置２０（携帯電話）のユーザは、当該判定結果を知得することができる。
【０１２９】
以上のように、本開示の実施形態によれば、版による印刷方法で印刷された印刷物であるか、若しくは、インクジェットなどの面積階調方式のプリンタによる印刷方法で印刷された印刷物であるかを判別することができる。
【０１３０】
なお、上述した実施の形態に対するいくつかの変形例を説明してきたが、当然に、複数の変形例を適宜組み合わせて適用することも可能である。
【符号の説明】
【０１３１】
１００  判定システム
１０  判定装置
２０  撮像データ取得装置
３０  外部装置
１１  通信部
１２  処理部
１３  記憶部
１４  表示部
１５  操作部
２１  通信部
２２  処理部
２３  記憶部
２４  表示部
２５  操作部
２６  撮像部
３１  通信部
３２  処理部
３３  記憶部
３４  表示部
３５  操作部
【図１】
0006809567.tif 000002
【図２】
0006809567.tif 000003
【図３】
0006809567.tif 000004
【図４Ａ】
0006809567.tif 000005
【図４Ｂ】
0006809567.tif 000006
【図５】
0006809567.tif 000007
【図６】
0006809567.tif 000008
【図７Ａ】
0006809567.tif 000009
【図７Ｂ】
0006809567.tif 000010
【図８Ａ】
0006809567.tif 000011
【図８Ｂ】
0006809567.tif 000012
【図９Ａ】
0006809567.tif 000013
【図９Ｂ】
0006809567.tif 000014
【図１０Ａ】
0006809567.tif 000015
【図１０Ｂ】
0006809567.tif 000016
【図１１Ａ】
0006809567.tif 000017
【図１１Ｂ】
0006809567.tif 000018